(57)【要約】【課題】  記録媒体、その制御情報を構成する方法、制御情報を用いる記録および／または再生方法、およびその装置を提供する。【解決手段】  本発明は、少なくとも一つの記録層を有する書き込み可能光ディスクに制御情報を記録する方法を提供する。少なくとも１以上の記録層を有する光ディスクの管理領域内に制御情報を記録する時、本発明は、記録速ごとに少なくとも１以上の記録層の各々に制御情報を与えるステップと、制御情報内に対応する制御情報のタイプを識別する情報を記録するステップと、制御情報のタイプと相互作用するライトストラテジ（ＷＳ）を記録するステップとを含む。ディスク情報内にライトストラテジ（ＷＳ）を記録する時、ＣＬＶおよびＣＡＶは別々に記録できることから、光ディスクの記録／再生に効率よく対応することができる。
2007527086.tif 000002
【特許請求の範囲】
【請求項１】
制御情報を記録媒体上に記録する方法において、
少なくとも１以上の記録層および記録速度と関連付けられた制御情報であって、前記制御情報は対応する制御情報のタイプを識別する第１の情報を含み、前記情報は前記制御情報が線速度一定（ＣＬＶ）または角速度一定（ＣＡＶ）に使われるかどうかを示すことと、
前記制御情報のタイプと関連付けられたライトストラテジパラメータと、
を生成するステップと、
前記記録媒体の特定のエリア上に前記制御情報を記録するステップと、
を備えたことを特徴とする方法。
【請求項２】
前記制御情報は、線速度一定（ＣＬＶ）または角速度一定（ＣＡＶ）と関連付けられたライトストラテジパラメータをさらに含むことを特徴とする請求項１に記載の方法。
【請求項３】
前記制御情報は、前記第１の情報がＣＡＶに関連付けられた制御情報を識別する場合、前記ライトストラテジパラメータと関連付けられた複数の速度を識別する第２の情報をさらに含むことを特徴とする請求項２に記載の方法。
【請求項４】
前記各々の速度と関連付けられた各々のライトストラテジパラメータは、前記制御情報に含まれていることを特徴とする請求項３に記載の方法。
【請求項５】
前記第１の情報がＣＬＶに対する制御情報を識別する場合、前記制御情報は１つの記録速度と関連付けられたライトストラテジパラメータを含むことを特徴とする請求項２に記載の方法。
【請求項６】
前記制御情報は、前記ライトストラテジのタイプを識別する第３の情報をさらに含むことを特徴とする請求項２に記載の方法。
【請求項７】
少なくとも２タイプのライトストラテジが存在することを特徴とする請求項６に記載の方法。
【請求項８】
前記ライトストラテジの特定のタイプのうちいずれか１タイプは、前記制御情報に選択的に含まれることを特徴とする請求項７に記載の方法。
【請求項９】
前記制御情報の予め決められた特定の速度に関付けられた前記ライトストラテジパラメータは、既定の前記ライトストラテジタイプに基づき、強制的な方式よって記録されることを特徴とする請求項６に記載の方法。
【請求項１０】
前記制御情報のタイプおよび前記ライトストラテジタイプと関連付けられた前記ライトストラテジパラメータは、前記制御情報に含まれることを特徴とする請求項６に記載の方法。
【請求項１１】
前記制御情報は、前記記録媒体のエンボスエリアに記録されることを特徴とする請求項１に記載の方法。
【請求項１２】
前記制御情報は、前記記録媒体の書き込み可能エリアに記録されることを特徴とする請求項１に記載の方法。
【請求項１３】
記録媒体上に記録されるか、または、前記記録媒体上に／から記録される／再生される制御情報のデータ構造において、
特定の記録層および／または特定の記録速度と関連付けられた制御情報であって、前記制御情報は、ＣＡＶまたはＣＬＶと関連付けられているかどうかを示すタイプ情報に依存するライトストラテジ情報を含むことを特徴とするデータ構造。
【請求項１４】
前記制御情報は、ＣＡＶまたはＣＬＶと関連付けられたライトストラテジパラメータをさらに含むことを特徴とする請求項１３に記載のデータ構造。
【請求項１５】
前記制御情報は、前記タイプ情報がＣＡＶに対する制御情報を識別する場合、前記ライトストラテジパラメータと関連付けられた複数の速度を識別する識別情報をさらに含むことを特徴とする請求項１４に記載のデータ構造。
【請求項１６】
前記各々の速度と関連付けられた各々のライトストラテジパラメータは、前記制御情報に含まれることを特徴とする請求項１５に記載のデータ構造。
【請求項１７】
前記制御情報は、前記タイプ情報がＣＬＶに対する制御情報を識別する場合、１つの記録速度と関連付けられた前記ライトストラテジパラメータをさらに含むことを特徴とする請求項１４に記載のデータ構造。
【請求項１８】
前記制御情報は、前記ライトストラテジのタイプを識別するストラテジ情報をさらに含むことを特徴とする請求項１３に記載のデータ構造。
【請求項１９】
少なくとも２タイプのライトストラテジが存在することを特徴とする請求項１８に記載のデータ構造。
【請求項２０】
前記ライトストラテジの特定のタイプのうちいずれか１つのタイプは、前記制御情報に選択的に含まれることを特徴とする請求項１９に記載のデータ構造。
【請求項２１】
前記制御情報の所定の特定速度に関付けられた前記ライトストラテジパラメータは、既定のライトストラテジタイプに基づき、強制的な方式によって記録されることを特徴とする請求項１８に記載のデータ構造。
【請求項２２】
前記制御情報のタイプおよび前記ライトストラテジタイプと関連付けられた前記ライトストラテジパラメータは、前記制御情報に含まれることを特徴とする請求項１８に記載のデータ構造。
【請求項２３】
記録媒体において、
記録可能エリアおよび再生専用エリアを含む少なくとも一つの記録層を備え、
ディスク情報は、各記録速度および／または各記録層に応じて前記再生専用エリアに別々に与えられ、
前記ディスク情報のタイプを識別する識別情報および前記識別情報に関連付けられたライトストラテジ情報は、前記ディスク情報に与えられることを特徴とする記録媒体。
【請求項２４】
光ディスクにおいて、
少なくとも１以上の記録層を備え、
制御情報は、各記録層および／または各記録速度に応じて与えられ、
前記制御情報のタイプを識別する識別情報および前記識別情報に関連付けられたライトストラテジ情報は、前記制御情報内に記録されることを特徴とする光ディスク。
【請求項２５】
前記識別情報は、記録タイプがＣＬＶまたはＣＡＶであるかを識別するものであることを特徴とする請求項２４に記載の光ディスク。
【請求項２６】
前記ライトストラテジのタイプを識別する情報は、前記制御情報内にさらに記録されることを特徴とする請求項２４に記載の光ディスク。
【請求項２７】
前記ライトストラテジパラメータは、前記識別情報および前記ライトストラテジタイプに関連付けられることを特徴とする請求項２６に記載の光ディスク。
【請求項２８】
記録媒体上にデータを記録する方法において、
前記記録媒体の管理領域内の各記録速度に応じて別々に記録された複数の制御情報を読み込むステップと、
各制御情報内に記録された制御情報タイプを識別する識別情報をチェックするステップと、
前記識別情報から対応する記録速度と関連付けられたライトストラテジ情報に基づいてデータの記録を行うステップと、
を備えたことを特徴とする方法。
【請求項２９】
記録媒体上にデータを記録する方法において、
制御情報のタイプを識別する識別情報に基づいて特定の制御情報を識別するステップであって、前記制御情報は、データの記録または読込みのための基準情報を与えるために特定の記録速度および／または特定の記録層と関連付けられ、前記識別情報は、前記制御情報がＣＬＶまたはＣＡＶに使われるかどうかを識別することと、
前記識別するステップの結果として、ＣＬＶまたはＣＡＶに使われる前記制御情報に含まれたライトストラテジパラメータを用いるデータを記録するステップと、
を備えたことを特徴とする方法。
【請求項３０】
前記識別するステップは、特定のライトストラテジタイプを示すタイプ情報をさらに識別し、前記ライトストラテジパラメータは、前記識別情報およびタイプ情報と関連付けられることを特徴とする請求項２９に記載の方法。
【請求項３１】
前記記録するステップは、ライトストラテジパラメータを用いて記録することを特徴とする請求項３０に記載の方法。
【請求項３２】
記録媒体上にデータを記録する装置において、
前記記録媒体の管理領域内の少なくとも記録速度と関連付けられた複数の制御情報を読み込む光ピックアップと、
該当制御情報がＣＬＶまたはＣＡＶに使われるかどうかを識別するために、識別情報に基づいて制御情報タイプをチェックし、前記チェックの結果として前記対応する制御情報に含まれたライトストラテジを読み込み、前記読み込まれたライトストラテジを用いてデータの記録を行う制御器と、
を備えたことを特徴とする装置。
【請求項３３】
前記制御器は、対応する当記録速度にてデータの記録を制御することを特徴とする請求項３２に記載の装置。
【請求項３４】
前記制御器は、タイプ情報により識別されたライトストラテジタイプに基づいて制御情報をさらにチェックし、前記対応する制御情報から前記ライトストラテジタイプと関連付けられたライトストラテジを読み込み、前記ライトストラテジを用いてデータの記録を行うことを特徴とする請求項３２に記載の装置。
【請求項３５】
前記制御器は、ＣＬＶまたはＣＡＶ用前記制御情報に基づいてサーボ動作を制御することを特徴とする請求項３２に記載の装置。
【発明の詳細な説明】
【技術分野】
【０００１】
本発明は、書き込み可能光ディスクなどの記録媒体上に制御情報を記録する方法、および制御情報を用いて記録媒体上にデータを記録する方法に関する。
【背景技術】
【０００２】
ＨＤ−ＤＶＤとして知られている高密度光記録媒体は、高解像度のビデオデータおよび高品質のオーディオデータを記録および保存するために広く使われる。ブルーレイディスク（Ｂｌｕ−ｒａｙ ｄｉｓｃ）（以下、ＢＤ）は、次世代のＨＤ−ＤＶＤ技術を代表するものである。
【０００３】
現在、追記型ブルーレイディスク（ＢＤ−ＷＯ）についての標準を含むＢＤのグローバル標準のための技術的な仕様が構築中である。一方、１倍速ＢＤ−ＲＥとして知られており、現在論議中にある書換型ＢＤは、高速の記録速度、すなわち、２倍速ＢＤ−ＲＥ以上を有すると期待されるＢＤ−ＲＥディスクと互換可能である必要がある。また、高速な記録速度のためのＢＤ−ＷＯの仕様も進行中である。
【発明の開示】
【発明が解決しようとする課題】
【０００４】
この理由から、高密度光ディスクの高速な記録速度に効率的に対応できるソリューションが緊急に求められており、構築された仕様は相互互換性が保証される必要がある。そこで、本発明は、従来の技術における制限および欠点による１つ以上の不具合を実質的に解消する光ディスクにおいて制御情報を記録する方法を目指す。
【課題を解決するための手段】
【０００５】
本発明の目的は、高速な記録速度に対応する特定の情報としての制御情報を記録する新規な方法であって、単一種の制御情報を示す情報が制御情報内に記録されるだけではなく、ライトストラテジが記録された情報と相互作用する方法を提供するところにある。
【０００６】
本発明の他の目的は、制御情報を構成する新規なデータ構造を定義するところにある。
本発明のさらに他の目的は、同じ基礎とするディスクの間に与えられる相互互換性によって、ディスク内の特定のエリアにおいて高速な記録速度に対応する制御情報を記録する特定の方法を提供するところにある。
【０００７】
本発明のさらに他の目的は、実際のデータが記録された制御情報を用いて光ディスク上／から記録／再生される記録／再生方法および装置を提供するところにある。
【０００８】
本発明のさらなる利点、目的および特徴は、後述する説明において一部として開示され、この技術分野における当業者であれば、本発明の教示から明確に理解できるであろう。本発明の他の目的およびメリットは、添付した図面と詳細な説明および特許請求の範囲に明示された構造により具現化される。
【０００９】
上記の諸目的および他の利点を達成するために、後述する本発明の目的によれば、本発明に係る記録媒体上に制御情報を記録する方法は、少なくとも１つ以上が記録層および記録速度と関連付けられた制御情報を生成するステップであって、前記制御情報は、前記制御情報のタイプを識別する第１の情報を含み、前記情報は、制御情報が線速度一定（ＣＬＶ：ｃｏｎｓｔａｎｔ ｌｉｎｅａｒ ｖｅｌｏｃｉｔｙ）または角速度一定（ＣＡＶ：ｃｏｎｓｔａｎｔ ａｎｇｕｌａｒ ｖｅｌｏｃｉｔｙ）に使われるかどうかを示し、そして、ライトストラテジパラメータは、制御情報のタイプと関連付けられていることと、記録媒体の特定のエリア上に制御情報を記録するステップとを含む。
【００１０】
本発明の他の態様において、記録媒体上に記録されるか、または、記録媒体上／から記録／再生される制御情報のデータ構造は、特定の記録層および／または特定の記録速度と関連付けられた制御情報が、制御情報がＣＡＶまたはＣＬＶと関連付けられたかどうかを示すタイプ情報に依存するストラテジ情報を含むことを特徴とする。
【００１１】
本発明の他の態様において、記録媒体は書換型エリアおよび再生専用されたエリアを有する少なくとも一つの記録層を有し、ディスク情報は各記録速度および／または各記録層に応じて再生専用されたエリアに別々に与えられ、ディスク情報のタイプを識別する識別情報および識別情報と関連付けられたライトストラテジ情報は、ディスク情報に与えられる。
【００１２】
本発明の他の態様において、光ディスクは少なくとも１以上の記録層を有し、制御情報は各記録層および／または各記録速度に応じて与えられ、制御情報のタイプと識別情報と関連付けられたライトストラテジパラメータを識別する識別情報は、制御情報内に記録される。
【００１３】
本発明のさらに他の態様において、記録媒体上にデータを記録する方法は、記録媒体の管理領域内において各記録速度に応じて別々に記録される複数の制御情報を読み込むステップと、各制御情報内に記録された制御情報タイプを識別する識別情報をチェックするステップと、識別情報から対応する記録速度と関連付けられたライトストラテジ情報に基づいてデータの記録を行うステップと、を含む。
【００１４】
本発明のさらに他の態様において、記録媒体上にデータを記録する方法は、制御情報のタイプを識別する識別情報に基づいて特定の制御情報を識別するステップであって、制御情報は、データの記録または読込みのための基準情報を与えるために特定の記録速度および／または特定の記録層と関連付けられた識別情報は、制御情報がＣＬＶまたはＣＡＶに対して使われるかどうかを識別することと、識別ステップの結果としてＣＬＶまたはＣＡＶに使われる制御情報に含まれたライトストラテジパラメータを用いてデータを記録するステップとを含む。
【００１５】
本発明のさらに他の態様において、記録媒体上にデータを記録するための装置は、記録媒体の管理領域内において、少なくとも記録速度と関連付けられた複数の制御情報を読み込む光ピックアップと、対応する制御情報がＣＬＶまたはＣＡＶに対して使われるかどうかを識別するための識別情報に基づいて制御情報タイプをチェックし、チェックの結果として対応する制御情報に含まれたライトストラテジを読み込み、そして、読み込まれたライトストラテジを用いてデータの記録を行う制御器とを備える。
【００１６】
本発明における上述の全般的な説明および後述する詳細な説明は単なる例示的なものに過ぎず、請求の範囲に記載された本発明をさらに詳述するために提供されるものであることは言うまでもない。
【発明を実施するための最良の形態】
【００１７】
以下、添付した図面に基づき、本発明の好適な実施の形態の詳細およびその例について説明する。図中、同一の構成要素には同一の符号を付し、その詳細な説明を省く。
【００１８】
ＢＤは、本発明に係る光ディスクの一例として取られる。また、記録された制御情報を有する光ディスクであること特徴がある本発明の概念は、ＤＶＤ−ＲＡＭ、ＤＶＤ−ＲＷ、ＤＶＤ＋ＲＷ、ＤＶＤ−Ｒ、ＤＶＤ＋Ｒ、およびこれに類似のディスクに適用可能である。
【００１９】
たとえ、以下で使われる用語がほとんど公知とされているものであっても、一部の用語は本発明が出願人により使われる用語の意図された意味として理解されるように、出願人により選ばれている。
【００２０】
例えば、ディスクの’制御情報’は、特定のエリア、すなわち、製造者のデータが記録され追記可能なエンボス（ｅｍｂｏｓｓｅｄ）エリアとして知られているディスクの書き込み可能エリアまたは再生専用エリアに記録され、記録されたディスクの再生に必要な情報を含む。ディスク制御情報は、ＢＤ技術に関する”ディスク情報”または”ＤＩ”と呼ばれるが、典型的には、ＤＶＤ−ＲＡＭ、ＤＶＤ−ＲＷ、ＤＶＤ＋ＲＷ、ＤＶＤ−Ｒ、ＤＶＤ＋Ｒディスクについての’物理フォーマット情報’として呼ばれる。その結果、本発明の技術的な背景は、物理フォーマット情報に同等に適用可能であることは言うまでもない。
【００２１】
さらに、本発明に係るディスク情報は、例えば、第１または第２の情報として考えられる情報の任意のユニットとして記録される。
【００２２】
本発明は、ライトストラテジ（ＷＳ）がディスク情報内においてライトストラテジ（ＷＳ）を記録時、単一種のディスク情報を識別する情報と相互作用することにより記録され、複数のライトストラテジのうちいずれか一つがディスクの製造時に選択的に記録され、且つ、記録／再生装置（図１２）がディスク情報内に記録されたライトストラテジ（ＷＳ）を参考にして記録／再生を行うところに特徴がある。以下ではまず、この明細書中に使われる’ライトストラテジ（ＷＳ）’の意味について詳述する。
【００２３】
’ライトストラテジ（ＷＳ）’の意味を考えると、通常、記録を行うためにピックアップ（図１２における’１１’）を介して光ディスク内の記録層にレーザビームを放射することにより、記録層の媒体特性が変更される。その結果、レーザビームの強度（記録パワー）、記録パワーの印加時間などが決められる必要がある。このようにして決められた各種の記録関連の情報は、一般に’ライトストラテジ（ＷＳ）’として名づけられ、特定の’ライトストラテジ（ＷＳ）’内に記録された特定のコンテンツは、’ライトストラテジ（ＷＳ）パラメータ’として名づけられる。
【００２４】
本発明において使われるライトストラテジ（ＷＳ）情報とは、ライトストラテジ（ＷＳ）と関連付けられたすべての情報を意味する。さらに、’ＷＳパラメータ’とは、ＷＳをなす項目および特定の数値を意味し、ＷＳ情報の一種である。その結果、ＷＳ情報は、上述したような’ＷＳ型’、後述する’ＷＳフラグ’などと’ＷＳパラメータ’を含む包括的な概念を有する。
【００２５】
また、ライトストラテジ（ＷＳ）は各種の方式により記録可能である。ディスクが高密度化して高速動作するに伴い、記録層の媒体特性とともに記録速度（すなわち、ディスクＲＰＭ）は、相当の影響を受ける。その結果、一層正確なシステムが求められる。また、以下では、様々なライトストラテジ（ＷＳ）が例として挙げられて説明される。
【００２６】
第一に、’（ｎ−１）ＷＳ’と呼ばれる記録層媒体上に形成される記録マークの大きさ（ｎ）よりも１だけ小さな記録パルスを有するシステムが存在する。第二に、’ｎ／２ ＷＳ’と呼ばれる記録マークの大きさ（ｎ）の半分に相当する大きさを有する記録パルスを備えたシステムが存在する。さらに、新しいライトストラテジ（ＷＳ）は、開発されつつある。ライトストラテジ（ＷＳ）の他のタイプに関し、ライトストラテジ（ＷＳ）に適用されたパラメータが相異なるライトストラテジ（ＷＳ）の各種のシステムが存在するとき、ディスク製造者は、ライトストラテジパラメータに応じてライトストラテジをテストするために特定のＷＳを選び、その後、ディスク情報内の特定のエリアにおいて’ＷＳパラメータ’フィールド内のテスト結果を記録する。
【００２７】
さらに、ディスク上にデータを記録する方法として、線速度一定（ＣＬＶ）方法および角速度一定（ＣＡＶ）方法がある。ＣＬＶ方法は、単一の記録速度にて記録を行うためにディスクの内周および外周エリアに同じ線速度を加える。ＣＡＶ方法は、ディスクの内周および外周に同じＲＰＭを加え、ディスクの比較的に小さな回転半径を有するディスクの外周における線速度が比較的に大きな回転半径を有するディスクの内周における線速度よりも高速になる。内周および外周の半径を互いに比較するとき、ディスクの内周および外周の記録速度間には約２．４倍の差分が存在する。
【００２８】
その結果、ＣＡＶシステムを採用した時、外周においては２．４倍速にて、そして、内周においては１倍速にて記録が行われる。例えば、記録は内周において４倍速にて行われるのに対し、外周においては９．６倍速にて行われる。ディスクの内周および外周の記録速度差が大きなため、記録を行うためにディスクの各位置に適用されるライトストラテジ（ＷＳ）および最適な記録速度を選ぶ必要がある。その結果、ＣＡＶ方法は３種類の線速度（記録速度）、例えば、’単一型の記録速度グループ’と呼ばれうる１倍速の線速度、１．７倍速の線速度および２．４倍速の線速度についての定義を必要とする。また、定義された記録速度の各々についてのライトストラテジ（ＷＳ）は、ディスク情報内に記録されなければならない。
【００２９】
図１および図２は、書き込み可能光ディスクが本発明に十分に適用可能な光ディスクとなる、本発明に係る光ディスクの構造図である。さらに、書き込み可能ディスクは、書換型光ディスクおよび追記型光ディスクのうちいずれであっても良い。図１は、本発明に係る単一の記録層を有する単一層ディスクの構造図である。
【００３０】
図１を参照すれば、リードインエリアは光ディスクの内周エリア上において管理領域として与えられ、リードアウトエリアは光ディスクの外周エリア上において管理領域として与えられる。特に、再生専用エリアおよび書換型または追記型エリアは、ディスクの内周エリア内において互いに別々に存在する。
【００３１】
再生専用エリアはデータがディスクの製造時に予め記録されたエリア（’エンボスエリア’と呼ばれる。）であって、ユーザまたはシステムは再生専用エリアにデータ記録を行うことができない。ＢＤ−ＲＥ／ＷＯにおいて、再生専用エリアは、永久情報および制御データ（ＰＩＣ：ｐｅｒｍａｎｅｎｔ ｉｎｆｏｒｍａｔｉｏｎ ａｎｄ ｃｏｎｔｒｏｌ ｄａｔａ）エリアと呼ばれる。また、ディスク記録に求められる情報としての上述したディスク情報（以下、’ＤＩ’と称する。）は、ＰＩＣエリアに記録される。
【００３２】
データエリアには、ユーザの実際のデータが記録されるユーザデータエリア、発生した欠陥エリアを取り替えるためのスペアエリア（ＩＳＡおよびＯＳＡ）が与えられる。特に、欠陥および通常のマネジメントの情報を記録するためのＴＤＭＡ（ｔｅｍｐｏｒａｒｙ ｄｅｆｅｃｔ ｍａｎａｇｅｍｅｎｔ ａｒｅａ）は、ＢＤ−ＷＯなどの追記型光ディスクに与えられる。書換型ＢＤ（ＢＤ−ＲＥ）の場合にＴＤＭＡは不要になり、このエリアは予約エリアとして残される。
【００３３】
本発明は、再生専用または書き込み可能エリアにおいて、ディスクの記録再生に求められる制御情報としてディスク情報（ＤＩ）を効率よく記録する方法を提供するものである。再生専用エリアにおいて、ディスクの種類ごとに異なる記録方法が適用されることは言うまでもない。ＢＤ−ＲＥ／ＷＯの場合に、再生専用エリアとしてのＰＩＣエリアは２相高周波変調信号により記録され、対応するエリアにおいて、高周波変調信号は特定の再生方法によって再生され、情報は再生を通じて得られる。
【００３４】
図２は、リードインから始まる記録層が第１の記録層Ｌａｙｅｒ０として名付けられ、リードアウトで終わる記録層が第２の記録層Ｌａｙｅｒ１として名付けられるデュアル記録層を備える２層ディスクを示すものである。
【００３５】
２層ディスクにおいて、ＰＩＣエリアはディスク内周エリアのリードインおよびリードアウトに与えられ、同じコンテンツのディスク情報（ＤＩ）はＰＩＣエリアに記録される。図３は、図１または図２に示すディスク内のＰＩＣエリアの構造図である。上述したような方法は、高周波変調されたＰＩＣエリア内の全ての情報が得られるとき、情報が図３におけるＰＩＣエリアの構造と同様に並べ替えられることを意味する。
【００３６】
以下、ＰＩＣエリアにおいてディスク情報（ＤＩ）を構成する方法について説明する。
【００３７】
ＢＤ−ＲＥ／ＷＯにおいて、’1つのクラスタ’は最小限の記録ユニットを示し、５４４個のクラスタは1つの上部記録ユニットとして1つのフラグメントを構成するために集められる。合計５個のフラグメントは、ＰＩＣエリアを形成するために集められる。ディスク情報は、第１のフラグメントＩＦ０の先端ヘッドクラスタに記録される。ディスク情報は、対応する光ディスクにより許容される記録層および記録速度ごとに複数記録され、1つのディスク情報は１１２バイトを含む。特に、１１２バイトよりなるディスク情報は、ディスク情報（ＳＩ）フレームと呼ばれる。さらに、ディスク情報の同じ内容は残りのフラグメントの各先端ヘッドクラスタに繰り返し記録され、ディスク情報の喪失を補うことが可能になる。
【００３８】
対応する記録層を示す情報、記録速度を示す情報、および記録速度に対応するライトストラテジ情報は、各ディスク情報内に記録される。その結果、このような情報は対応する光ディスクの記録または再生に活用され、記録層および記録速度ごとに最適な書込みパワーを与えることが可能になる。
【００３９】
以下、図４から図１２に基づいて、本発明に係るディスク情報内にディスク情報タイプと関連付けられたライトストラテジ（ＷＳ）を記録する方法について述べる。
【００４０】
図４は、ディスク情報の概略構造図であって、本発明の一実施の形態に係る光ディスクの記録ディスク情報を示している。
【００４１】
図４を参照すれば、複数のディスク情報はディスク内に記録され、各ディスク情報の記録シーケンスはシーケンス番号により決められ、記録シーケンスは１バイトとして記録される。例えば、対応する情報はディスク情報内において５番目のバイトとして記録され、’ＤＩブロックフィールドにおけるＤＩフレームシーケンス番号’と名付けられ、簡単に’００ｈ，０１ｈ，０２ｈ，０３ｈ，．．．’と表示される。すなわち、５番目のバイトの情報が’００ｈ’である場合、これは、最初のディスク情報を意味する。また、５番目のバイトの情報が’０７ｈ’である場合、これは、８番目のディスク情報を意味する。さらに、５番目のバイトのＤＩブロックにおけるＤＩフレームシーケンス番号の意味は、次の方式により定義される。
【００４２】
先ず、５番目のバイトの情報が’００ｈ’である場合、’００ｈ’は最初のディスク情報だけではなく、第１の記録層Ｌａｙｅｒ０の１倍速のディスク情報を意味する。’０１ｈ’は、２番目のディスク情報だけではなく、第１の記録層Ｌａｙｅｒ０の２倍速のディスク情報を意味する。’０２ｈ’は、３番目のディスク情報だけではなく、第１の記録層Ｌａｙｅｒ０の４倍速のディスク情報を意味する。さらに、’０３ｈ’は４番目のディスク情報だけではなく、第１の記録層Ｌａｙｅｒ０の８倍速のディスク情報を意味する。記録層情報および記録速度情報がディスク情報内の予約エリアに別々に記録できることは言うまでもない。
【００４３】
また、ディスク情報のタイプまたは種類を識別できる識別情報は、ディスク情報内において’ＤＩタイプ’フィールドとして名付けられるＮ番目のバイトの特定のエリアに記録される。さらに、対応するディスク情報のタイプと相互運用するライトストラテジ（ＷＳ）は、例えば、ディスク情報内におけるＬ〜１１１番目のバイトであって、’ライトストラテジパラメータ’と名付けられたエリアである他の特定エリアに記録される。すなわち、対応するディスク情報が’ＤＩタイプ’フィールドを介してＣＬＶ’モードまたは’ＣＡＶ’モードであるかを識別し、ライトストラテジ（ＷＳ）は、識別されたモードに基づく方式により記録される。例えば、ＣＬＶモードである場合、単一の記録速度についてのＷＳだけが記録される。ＣＡＶモードである場合、単一型の記録速度グループ（例えば、１倍速、１．７倍速および２．４倍速など３種類の線速度）についてのＷＳを記録する必要がある。
【００４４】
ディスク情報タイプを識別する情報が’００００  ０００ｂ’である場合、例えば、これは、’ＣＬＶディスク情報（ＤＩ）’を定義することを意味する。’００００  ０００１ｂ’である場合、これは、’ＣＡＶディスク情報（ＤＩ）’を定義することを意味する。
【００４５】
図５は、図４に類似のディスク情報内においてＮ番目のバイトのディスク情報タイプを識別するための識別情報を記録する場合に、ディスク情報を記録する例示的な方法を示すものである。説明の便宜のために、ここでは、単一記録層Ｌａｙｅｒ０が例として取られる。また、この方法は、たとえより多くの記録層が存在するとしても、同じ方式として適用可能であることは言うまでもない。
【００４６】
上述したように、本発明のディスク情報は、ディスク製造者がディスク内の再生専用エリアに対応するディスクの特性を記録する情報である。ディスクを有するライトストラテジ（ＷＳ）は、記録／再生装置（図１２）が記録／再生の実際のアプリケーションに活用できるように定義される。その結果、ディスク情報の記録時、ディスク製造者は記録層ごとに適用可能な記録速度を好適に決め、その後、決められた記録速度がＮ番目のバイトにおいてＣＬＶまたはＣＡＶ方法に対応するかどうかを示す識別情報を記録する。その結果、識別情報と相互作用するライトストラテジ（ＷＳ）はＬ〜１１１番目のバイトに記録されるＣＬＶまたはＣＡＶに従って識別される。
【００４７】
例えば、第１の記録層の１倍速に関するディスク情報はディスク情報シーケンスとして’００ｈ’に記録され、ディスク情報タイプはＣＡＶモードを意味し、ライトストラテジ（ＷＳ）はＣＡＶ ＷＳが記録・選択されるように相互作用する。第１の記録層の２倍速に関するディスク情報は’０１ｈ’に記録され、ディスク情報タイプはＣＬＶモードを意味し、ライトストラテジ（ＷＳ）はＣＬＶ ＷＳが記録・選択されるように相互作用する。第１の記録層の４倍速に関するディスク情報は’０２ｈ’に記録され、ディスク情報タイプはＣＬＶモードを意味し、ライトストラテジ（ＷＳ）は、ＣＬＶ ＷＳが記録・選択されるように相互作用する。第１の記録層の８倍速に関するディスク情報は’０３ｈ’に記録され、ディスク情報タイプはＣＡＶモードを意味し、ライトストラテジ（ＷＳ）はＣＡＶ ＷＳが記録・選択されるように相互作用する。この場合、ＣＬＶまたはＣＡＶ ＷＳはディスク製造者により選ばれる単一のライトストラテジ（ＷＳ）を意味する。ＣＬＶの場合、ライトストラテジは単一種の書込み速度に適用される。ＣＡＶの場合、ライトストラテジは単一型の記録速度に対する複数の記録速度または記録速度グループに適用される。
【００４８】
図６は、本発明の他の実施の形態に係る制御情報の記録例を示すものである。図４に比べるとき、図６は、ＣＡＶモードに対する特定の識別がディスク情報内おいてＮ番目のバイトで書み込まれた’ＤＩタイプ’フィールドに適用されるように細分されることを示している。
【００４９】
すなわち、対応するディスク情報がＣＡＶモードを意味する場合、これは、いくつの速度がライトストラテジ（ＷＳ）により与えられるかを識別するように細分される。その結果、’ＤＩタイプ’フィールドは、次のように定義することができる。Ｎ番目のバイトに記録された’ＤＩタイプ’フィールドが’００００  ０００１ｂ’である場合、これは、ＣＡＶモードを意味し、Ｌ〜１１１番目のバイトに記録されたライトストラテジ（ＷＳ）は、単に単一種の速度に対応するように記録される。Ｎ番目のバイトに記録された’ＤＩタイプ’フィールドが’００００  ００１０ｂ’である場合、これは、ＣＡＶモードを意味し、Ｌ〜１１１番目のバイトに記録されたライトストラテジ（ＷＳ）は２種類の速度に対応するように記録される。Ｎ番目のバイトに記録された’ＤＩタイプ’フィールドが’００００  ００１１ｂ’である場合、これは、ＣＡＶモードを意味し、Ｌ〜１１１番目のバイトに記録されたライトストラテジ（ＷＳ）は３種類の速度に対応するように記録される。
【００５０】
一般に、ＣＡＶモードの場合、対応するディスク情報は３種類の速度に関するライトストラテジを有する。さらに、’ＤＩタイプ’フィールドの上述したような定義により、ディスク製造者が多数のライトストラテジに対応する上での困難さを回避することが可能になる。また、’ＤＩタイプ’フィールドの上述したような定義により、ディスク記録／再生装置の製造者が一つのライトストラテジ（ＷＳ）のみに対応する安価な製品の開発が可能になる。
【００５１】
図７は、本発明の他の実施の形態に係る制御情報の記録例を示すものである。ここで、ディスク情報のタイプを識別するための情報は、最終的に使われたライトストラテジ（ＷＳ）のタイプを識別可能にする他の情報と共に、図４の実施の形態と同様にディスク情報内に記録される。
【００５２】
図７を参照すれば、ライトストラテジ（ＷＳ）タイプを識別可能にする情報は、複数の特定のライトストラテジ（ＷＳ）のうちいずれか一つのストレテジがディスク製造者により使われるように選択されるかを識別するものであるのに対し、ディスク情報タイプを識別するための情報は、対応するディスク情報がＣＬＶモードまたはＣＡＶモードであるかどうかを識別可能にする。例えば、上述したように、（ｎ−１） ＷＳ、ｎ／２ ＷＳなどのように存在しうる各種のライトストラテジタイプは、第１のＷＳ（ＷＳ−１）、第２のＷＳ（ＷＳ−２），．．．および第ＫのＷＳ（ＷＳ−Ｋ）として定義される。また、ディスク製造者により選択されるライトストラテジタイプ（’ＷＳタイプ’と称する。）を識別する情報は、ディスク情報内に記録される。
【００５３】
以下、図４の実施の形態と比較してこれについて詳細に説明する。先ず、’ライトストラテジ（ＷＳ）タイプ’フィールドは、図４の実施の形態のＰ番目のバイトに加えられ、Ｌ〜１１１番目のライトストラテジ（ＷＳ）がＮ番目のバイトのディスク情報タイプおよびＰ番目のバイトのライトストラテジ（ＷＳ）タイプと相互作用することにより記録される。すなわち、次のように定義できる。’００００  ００００ｂ’がＰ番目のバイトに書き込まれる場合、これは、第１のＷＳ（ＷＳ−１）を意味する。’００００  ００１０ｂ’がＰ番目のバイトに書き込まれる場合、これは、第２のＷＳ（ＷＳ−２）を意味する。’ＸＸＸＸ  ＸＸＸＸｂ’がＰ番目のバイトに書き込まれる場合、これは、第ＫのＷＳ（ＷＳ−Ｋ）を意味する。
【００５４】
図８は、図７の本発明の他の実施の形態に係る制御情報内にライトストラテジを記録する例を示し、図９は、図７の本発明の他の実施の形態に係る制御情報内にライトストラテジを記録する他の例を示す。
【００５５】
図８は、ディスク製造者が複数のライトストラテジ（ＷＳ）のうちいずれか一つを記録時、全ての記録速度についての特定のライトストラテジ（ＷＳ）を選択的に記録することを示している。
【００５６】
図８を参照すれば、ディスク情報のＮ番目のバイトはディスク情報タイプを示し、ディスク情報のＰ番目のバイトはライトストラテジ（ＷＳ）タイプを示し、そして、Ｎ番目とＰ番目のバイトを相互作用することにより決定された1つのライトストラテジ（ＷＳ）に関連付けられたパラメータは、Ｌ〜１１番目のバイトに記録される。
【００５７】
例えば、第１の記録層の１倍速に関するディスク情報はディスク情報シーケンスとして’００ｈ’に記録され、ディスク情報タイプはＣＡＶモードを意味し、ライトストラテジ（ＷＳ）タイプは第１のＷＳ（ＷＳ−１）を意味し、そして、ライトストラテジ（ＷＳ）は、これらと相互作用することにより、ＣＡＶ ＷＳ−１が記録されるように選択される。第１の記録層の２倍速に関するディスク情報は’０１ｈ’に記録され、ディスク情報タイプはＣＬＶモードを意味し、ライトストラテジ（ＷＳ）タイプは第１のＷＳ（ＷＳ−１）を意味し、そして、ライトストラテジ（ＷＳ）はこれらと相互作用することにより、ＣＬＶ ＷＳ−１が記録されるように選択される。第１の記録層の４倍速に関するディスク情報は’０２ｈ’に記録され、ディスク情報タイプはＣＬＶモードを意味し、ライトストラテジ（ＷＳ）タイプは第２のＷＳ（ＷＳ−２）を意味し、そして、ライトストラテジ（ＷＳ）はこれらと相互作用することにより、ＣＬＶ ＷＳ−２が記録されるように選択される。第１の記録層の８倍速に関するディスク情報は’０３ｈ’に記録され、ディスク情報タイプはＣＡＶモードを意味し、ライトストラテジ（ＷＳ）タイプは第２のＷＳ（ＷＳ−２）を意味し、そして、ライトストラテジ（ＷＳ）はこれらと相互作用することにより、ＣＡＶ ＷＳ−２が記録されるように選択される。
【００５８】
図９は、複数のライトストラテジ（ＷＳ）のうちいずれか一つがディスク情報内に記録され、必須のライトストラテジ（ＷＳ）タイプが特定の記録速度（例えば、１倍速）に対して記録されるが、ディスクの製造者は残りの記録速度に対する特定のライトストラテジ（ＷＳ）を選択的に記録することを示す。
【００５９】
その結果、図９の方法は、ライトストラテジ（ＷＳ）タイプが特定の記録速度（１倍速）に対するディスク製造者の選択上に制限を置くことにより強制的な方式により決められる点において、図８の方法とは違いがある。これは、ディスク記録／再生装置（図１２）の製造者が1つのライトストラテジ（ＷＳ）タイプのみに対応する安価な製品の製造を可能にする。
【００６０】
例えば、第１の記録層の１倍速に関するディスク情報はディスク情報シーケンスとして’００ｈ’に記録され、ディスク情報タイプはＣＡＶモードを意味し、ライトストラテジ（ＷＳ）タイプは第１のＷＳ（ＷＳ−１）を意味し、そして、ライトストラテジ（ＷＳ）はこれらと相互作用することにより、ＣＡＶ ＷＳ−１が記録されるように強制的に選択される。第１の記録層の２倍速に関するディスク情報は’０１ｈ’に記録され、ディスク情報タイプはＣＬＶモードを意味し、ライトストラテジ（ＷＳ）タイプは第１のＷＳ（ＷＳ−１）を意味し、そして、ライトストラテジ（ＷＳ）はこれらと相互作用することにより、ＣＬＶ ＷＳ−１が記録されるように選択される。第１の記録層の４倍速に関するディスク情報は’０２ｈ’に記録され、ディスク情報タイプはＣＬＶモードを意味し、ライトストラテジ（ＷＳ）タイプは第２のＷＳ（ＷＳ−２）を意味し、そして、ライトストラテジ（ＷＳ）はこれらと相互作用することにより、ＣＬＶ ＷＳ−２が記録されるように選択される。第１の記録層の８倍速に関するディスク情報は’０３ｈ’に記録され、ディスク情報タイプはＣＡＶモードを意味し、ライトストラテジ（ＷＳ）タイプは第２のＷＳ（ＷＳ−２）を意味し、そして、ライトストラテジ（ＷＳ）はこれらと相互作用することにより、ＣＡＶ ＷＳ−２が記録されるように選択される。
【００６１】
図１０は、本発明のさらに他の実施の形態に係る制御情報の記録例であって、ＣＡＶモードに対する特定の識別がディスク情報内のＮ番目のバイトで書き込まれた’ＤＩタイプ’フィールドに適用されるように細分され、さらに、ライトストラテジ（ＷＳ）タイプを指定する情報が記録されることを示すものである。
【００６２】
図１０を参照すれば、対応するディスク情報がＣＡＶモードを意味する場合、これは、いくつの速度がライトストラテジ（ＷＳ）により与えられるかを識別するように細分される。その結果、’ＤＩタイプ’フィールドは、下記のように定義できる。Ｎ番目のバイトに記録された’ＤＩタイプ’フィールドが’００００  ０００１ｂ’である場合、これはＣＡＶモードを意味し、Ｌ〜１１１番目のバイトに記録されたライトストラテジ（ＷＳ）は単一種の速度に対応するように記録される。Ｎ番目のバイトに記録された’ＤＩタイプ’フィールドが’００００  ００１０ｂ’である場合、これはＣＡＶモードを意味し、Ｌ〜１１１番目のバイトに記録されたライトストラテジ（ＷＳ）は２種類の速度に対応するように記録される。Ｎ番目のバイトに記録された’ＤＩタイプ’フィールドが’００００      ００１１ｂ’である場合、これはＣＡＶモードを意味し、Ｌ〜１１１番目のバイトに記録されたライトストラテジ（ＷＳ）は３種類の速度に対応するように記録される。
【００６３】
さらに、’ライトストラテジ（ＷＳ）タイプ’フィールドはディスク情報内のＰ番目のバイトに加えられ、Ｌ〜１１１番目のライトストラテジ（ＷＳ）がＮ番目のバイトのディスク情報タイプおよびＰ番目のバイトのライトストラテジ（ＷＳ）タイプと相互作用することにより記録される。すなわち、次のように定義することができる。’００００  ００００ｂ’がＰ番目のバイトに書き込まれる場合、これは第１のＷＳ（ＷＳ−１）を意味する。’００００  ００１０ｂ’がＰ番目のバイトに書き込まれる場合、これは第２のＷＳ（ＷＳ−２）を意味する。’ＸＸＸＸ  ＸＸＸＸｂ’がＰ番目のバイトに書き込まれる場合、これは第ＫのＷＳ（ＷＳ−Ｋ）を意味する。
【００６４】
図１１は、図１０の本発明のさらに他の実施の形態により制御情報内にライトストラテジを記録する例を示すものである。
【００６５】
図１１を参照すれば、’００００  ００００ｂ’はＮ番目のバイトの’ＤＩタイプ’フィールドに記録されてＣＬＶモードを意味する。’００００  ０００１ｂ’はＰ番目のバイトの’ライトストラテジ（ＷＳ）タイプ’フィールドに記録されて第１のＷＳ（ＷＳ−１）を意味する。５番目のバイトは’００ｈ’であって、第１の記録層の１倍速ディスク情報を意味する。さらに、Ｎ番目のおよびＰ番目のバイトと相互作用する特定のライトストラテジ（ＷＳ）は、ディスク内のＬ〜１１１番目のバイトに書き込まれる。
【００６６】
ＣＬＶモードであるとき、単一種の速度に対するライトストラテジ（ＷＳ）が記録される。例えば、第１のＷＳ（ＷＳ−１）であるとき、’（ｎ−１）ＷＳ’タイプによるパラメータが定義される。これにより、ディスク製造者は対応するディスクに最適値を記録する。
【００６７】
’ＤＩタイプ’フィールド（Ｎ番目のバイト）が’００００  ０００１ｂ’に設定されてＣＡＶモードを意味する場合、または’ライトストラテジ（ＷＳ）タイプ’フィールドが’００００  ００１０ｂ’に設定されて第２のＷＳ（ＷＳ−２）を意味する場合、Ｌ〜１１１番目のバイトに記録されたライトストラテジ（ＷＳ）パラメータが、図１１において特定されたパラメータまたは対応するパラメータの値とは異なる新しいコンテンツとして記録さるべきであることは言うまでもない。
【００６８】
図１２は、本発明に係る光ディスク記録／再生装置のブロック図である。図１２を参照すれば、本発明に係る記録／再生装置は光ディスク上において記録／再生を行う記録器／再生器１０と、これを制御する制御部２０と、を備える。
【００６９】
制御部２０は特定のエリアに記録または再生コマンドを与え、記録器／再生器１０は、制御部２０のコマンドに応じて特定のエリア上において記録／再生を行う。特に、記録器／再生器１０は外部装置とコミュニケーションを行うインタフェース部１２と、光ディスク上にデータを直接に記録するか、あるいは、データを再生するピックアップ部１１と、ピックアップ部１１から再生信号を受信して必要な信号に再生しまたは変調して記録される信号を光ディスク上に記録される信号に伝えるデータプロセッサ１３と、光ディスクから信号を正確に読み込んだり、ピックアップ部１１を制御して光ディスク上に信号を正確に記録したりするサーボ部１４と、制御情報およびデータを含むマネジメント情報を一時保存するメモリ１５と、記録器／再生器１０内において上述したような構成要素を制御するマイクロコンピュータ１６と、を備える。
【００７０】
以下、本発明に係る光ディスクのディスク情報記録プロセスについて述べる。
先ず、光ディスクが記録／再生装置にセットされるとき、ディスク内の全てのディスクマネジメント情報は記録器／再生器１０のメモリ１５に一時保存されるように読み込まれる。また、各種のディスクマネジメント情報は、光ディスクの記録／再生に用いられる。特に、メモリ１５に保存されたマネジメント情報は、本発明のディスク情報を含む。その結果、ディスク情報内に記録されたディスク情報タイプ、ライトストラテジ（ＷＳ）を識別する識別情報、およびこれらと相互作用するライトストラテジパラメータは読み込まれ、メモリ１５に一時保存される。光ディスク内の特定のエリア上において記録を行おうとする場合、制御部２０は、このような意図を書込みコマンドとして解釈し、次いで、これを記録される位置情報を、記録するデータと共に記録器／再生器１０に伝える。書込みコマンドを受信後、マイクロコンピュータ１６は、メモリ１５に保存されたマネジメント情報（特に、ディスク情報を通じて）から光ディスク内のエリアに適用された対応する記録速度を決め、その後、決められた記録速度に対応するライトストラテジ（ＷＳ）を参照することにより、最適な書込みパワーを探すことにより書込みコマンドを実行する。
【００７１】
これにより、本発明は、高密度光ディスクにおいて高速な記録速度に対応する制御情報を与える各種の方法を提供する。特に、ディスク情報内にライトストラテジ（ＷＳ）を記録時、ＣＬＶおよびＣＡＶＧは別々に記録されるので、光ディスクの記録／再生に効率よく対応することができる。
【００７２】
この技術分野における当業者にとっては、本発明に各種の修正および変形が加えられるということが理解できるであろう。よって、本発明は、特許請求の範囲に記載の権利範囲内において提供された本発明の修正および変形をカバーできることは明らかである。
【００７３】
本発明のさらなる理解を提供するために含まれて本明細書の一部を構成するように一体化される添付された図面は、本発明の原理を解説する上で有用な説明と共に本発明の実施の形態を例示する。
【図面の簡単な説明】
【００７４】
【図１】本発明に適用可能な単一層のディスクを示す図である。
【図２】本発明に適用可能な２層ディスクを示す図である。
【図３】本発明の制御情報が記録される管理領域を示す図であって、対応するエリア内のディスク情報の概略のフォーマット図である。
【図４】本発明の一実施の形態により記録された制御情報を示す図である。
【図５】図４に示す本発明の一実施の形態により記録された制御情報内のライトストラテジを示す図である。
【図６】本発明の他の実施の形態により記録された制御情報を示す図である。
【図７】本発明のさらに他の実施の形態により記録された制御情報を示す図である。
【図８】図７に示す本発明のさらに他の実施の形態により記録された制御情報内のライトストラテジを示す図である。
【図９】図７に示す本発明のさらに他の実施の形態により記録された制御情報内のライトストラテジの他の例を示す図である。
【図１０】本発明のさらに他の実施の形態により記録された制御情報を示す図である。
【図１１】図１０に示す本発明のさらに他の実施の形態により記録された制御情報内のライトストラテジを示す図である。
【図１２】本発明に係る光ディスク記録／再生装置のブロック図である。
【図１】
2007527086.tif 000003
【図２】
2007527086.tif 000004
【図３】
2007527086.tif 000005
【図４】
2007527086.tif 000006
【図５】
2007527086.tif 000007
【図６】
2007527086.tif 000008
【図７】
2007527086.tif 000009
【図８】
2007527086.tif 000010
【図９】
2007527086.tif 000011
【図１０】
2007527086.tif 000012
【図１１】
2007527086.tif 000013
【図１２】
2007527086.tif 000014
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
記録媒体上に記録された、または、前記記録媒体上に／から記録され／再生される制御情報のデータ構造を有する記録媒体において、  
前記制御情報は、特定の記録速度と関連付けられ、前記制御情報がＣＡＶモードまたはＣＬＶモードと関連付けられているかどうかを示すタイプ情報に依存するライトストラテジ情報を含むことを特徴とする記録媒体。
【請求項２】
前記制御情報は、前記ＣＡＶモードまたは前記ＣＬＶモードと関連付けられたライトストラテジパラメータをさらに含むことを特徴とする請求項１に記載の記録媒体。
【請求項３】
前記タイプ情報が前記ＣＡＶモードに対する制御情報を識別する場合、前記制御情報は、前記ライトストラテジパラメータと関連付けられた複数の速度を識別する識別情報をさらに含むことを特徴とする請求項２に記載の記録媒体。
【請求項４】
前記それぞれの速度と関連付けられたそれぞれのライトストラテジパラメータは、前記制御情報に含まれることを特徴とする請求項３に記載の記録媒体。
【請求項５】
前記タイプ情報が前記ＣＬＶモードに対する制御情報を識別する場合、前記制御情報は、１つの記録速度と関連付けられた前記ライトストラテジパラメータをさらに含むことを特徴とする請求項２に記載の記録媒体。
【請求項６】
前記制御情報は、前記ライトストラテジのタイプを識別するストラテジ情報をさらに含むことを特徴とする請求項１に記載の記録媒体。
【請求項７】
前記指定されたライトストラテジのタイプは、ライトストラテジに適用可能な少なくとも２つのタイプの内の１つであることを特徴とする請求項６に記載の記録媒体。
【請求項８】
前記ライトストラテジの特定のタイプの内のいずれか１つは、前記制御情報に選択的に含まれることを特徴とする請求項７に記載の記録媒体。
【請求項９】
前記制御情報の所定の特定の速度に対する前記ライトストラテジパラメータは、先に決定されたライトストラテジタイプに基づいて、強制的な方式によって記録されることを特徴とする請求項６に記載の記録媒体。
【請求項１０】
前記ライトストラテジタイプと関連付けられた前記制御情報のタイプ並びに前記ライトストラテジパラメータは、前記制御情報に含まれることを特徴とする請求項６に記載の記録媒体。
【請求項１１】
記録媒体上にデータを記録する方法において、
前記記録媒体の管理領域内の各記録速度に応じてそれぞれ記録された複数の制御情報を読み込むステップと、
各々の前記制御情報内に記録された制御情報タイプを識別する識別情報をチェックするステップと、
前記識別情報からの対応する記録速度と関連付けられたライトストラテジ情報に基づいてデータの記録を実行するステップと、
を備えたことを特徴とする方法。
【請求項１２】
記録媒体上にデータを記録する方法において、
制御情報のタイプを識別する識別情報に基づいて、特定の制御情報を識別するステップであって、前記制御情報は、データの記録のための参照情報を与えるために複数の特定の記録速度のうちの少なくとも１つと関連付けられており、前記識別情報は、前記制御情報がＣＬＶモードまたはＣＡＶモードに対して使われるかどうかを識別することと、
前記識別するステップの結果として、前記ＣＬＶモードまたは前記ＣＡＶモードに対して使用される前記制御情報に含まれたライトストラテジパラメータを用いて、データを記録するステップと、
を備えたことを特徴とする方法。
【請求項１３】
識別する前記ステップは、特定のライトストラテジタイプを示すタイプ情報をさらに識別し、前記ライトストラテジパラメータは、前記識別情報および前記タイプ情報と関連付けられることを特徴とする請求項１２に記載の方法。
【請求項１４】
前記記録するステップは、ライトストラテジパラメータを用いてデータを記録することを特徴とする請求項１３に記載の方法。
【請求項１５】
記録媒体上にデータを記録する装置において、
前記記録媒体の管理領域内の少なくとも特定の記録速度と関連付けられた制御情報を読み込む光ピックアップと、
対応する前記制御情報がＣＬＶモードまたはＣＡＶモードに対して使われるかどうかを識別する識別情報に基づいて制御情報タイプをチェックし、前記チェックの結果として前記対応する制御情報に含まれたライトストラテジを読み込み、前記読み込まれたライトストラテジを用いてデータの記録を行う制御器と、
を備えたことを特徴とする装置。
【請求項１６】
前記制御器は、対応する記録速度にてデータの記録を制御することを特徴とする請求項１５に記載の装置。
【請求項１７】
前記制御器は、タイプ情報により識別されたライトストラテジタイプに基づいて制御情報タイプをさらにチェックし、前記対応する制御情報からの前記ライトストラテジタイプと関連付けられたライトストラテジを読み込み、前記ライトストラテジを用いてデータの記録を行うことを特徴とする請求項１５に記載の装置。
【請求項１８】
前記制御器は、前記ＣＬＶモードまたは前記ＣＡＶモードに対する前記制御情報に基づいて、サーボ動作を制御することを特徴とする請求項１５に記載の装置。
【請求項１９】
前記ライトストラテジは、書き込みマルチパルス時間、第１の書き込みパルス時間、および第１の書き込みパルス開始時間に関連付けられたパラメータを含み、前記制御器は前記パラメータを使用してデータの記録を実行することを特徴とする請求項１５に記載の装置。
【請求項２０】
前記ライトストラテジは、消去マルチパルス時間および第１の消去パルス開始時間に関連付けられたパラメータをさらに含み、前記制御器は前記パラメータをさらに使用してデータの記録を実行することを特徴とする請求項１９に記載の装置。
【国際調査報告】
2007527086.tif 000015
2007527086.tif 000016